【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
需要者の要求に応じて物品を提供可能な物品提供装置であって、
組み合わせて構築された、複数台の提供ユニットと、前記提供ユニットと左右方向寸法および上下方向寸法が同じである１台の案内ユニットと、を具備し、
前記提供ユニットは、各々、物品を収容するための物品収容部であって、手前から物品の収容が行えるようになっている物品収容部と、前記物品収容部に収容されている物品を提供するための物品提供部と、を備え、
前記案内ユニットは、前記物品収容部に収容されている物品の収容状況を管理するための収容状況管理部と、前記案内ユニットの前面に前記収容状況管理部からの管理信号に基づいて物品収容情報を提示するための情報提示部と、前記案内ユニットの前面であって前記情報提示部の下に代金決済部と、を備え、
前記情報提示部は、画像表示部を含み、前記提供ユニットに対応する画像であって前記管理信号が提供可能に係るものである場合に提供可能を表す画像を前記物品収容情報として前記画像表示部に表示するように構成され、
前記画像表示部に表示された前記提供可能を表す画像のいずれか１つが選択されたこと、及び代金決済が完了したことを条件として、前記選択された前記提供可能を表す画像に係る前記提供ユニットの前記物品提供部は、物品の提供が不可能な状態から物品の提供が可能な状態に変化するように構成されている、
物品提供装置。
【請求項２】
前記画像表示部に表示された前記提供可能を表す画像のいずれか１つの選択後において、代金決済が完了したことを条件として、前記選択された前記提供可能を表す画像に係る前記提供ユニットの前記物品提供部は、物品の提供が不可能な状態から物品の提供が可能な状態に変化するように構成されている、
請求項１に記載の物品提供装置。
【請求項３】
物品が１個ずつ通過可能な提供孔が形成された回転板をさらに備え、
前記選択された前記提供可能を表す画像に係る前記提供ユニットの前記物品提供部は、前記回転板の回転により、物品の提供が不可能な状態から物品の提供が可能な状態に変化するように構成されている、
請求項１又は２に記載の物品提供装置。
【請求項４】
前記画像表示部は、待機画面を表示し、前記待機画面に対する需要者の操作に応じて、前記待機画面に代えて、前記提供可能を表す画像を前記物品収容情報として表示するように構成されている、
請求項１〜３のいずれか１項に記載の物品提供装置。
【請求項５】
前記画像表示部は、前記提供可能を表す画像を前記提供ユニットの配置位置に対応したレイアウトで表示するように構成されている、
請求項１〜４のいずれか１項に記載の物品提供装置。  
【請求項６】
前記画像表示部は、前記提供可能を表す画像と、前記管理信号が提供不可能に係るものである場合に前記提供不可能を表す画像とを異なる画像として表示するように構成されている、
請求項１〜５のいずれか１項に記載の物品提供装置。
【請求項７】
前記画像表示部は、前記提供可能を表す画像と、前記管理信号が提供不可能に係るものである場合に前記提供不可能を表す画像とを区別して表示するように構成されている、
請求項１〜６のいずれか１項に記載の物品提供装置。
【請求項８】
前記提供可能を表す画像は、前記提供ユニットの選択ボタンを兼用している、
請求項１〜７のいずれか１項に記載の物品提供装置。
【請求項９】
前記画像表示部は、待機画面を表示し、前記待機画面の表示に代えて前記提供可能を表す画像が表示されてから所定時間内に前記提供可能を表す画像の選択がないことを条件として、前記待機画面を表示するように構成されている、
請求項１〜８のいずれか１項に記載の物品提供装置。
【請求項１０】
前記画像表示部は、前記提供可能を表す画像が選択されたことを条件として、操作手順を示す第１メッセージと共に、選択された前記提供可能を表す画像を表示するように構成されている、
請求項１〜９のいずれか１項に記載の物品提供装置。
【請求項１１】
前記画像表示部は、前記提供可能を表す画像が選択されたことを条件として、前記第１メッセージ、及び選択された前記提供可能を表す画像に代えて、操作手順を示す第２メッセージと共に、前記代金決済に係る画像を表示するように構成されている、
請求項１０に記載の物品提供装置。
【請求項１２】
需要者の操作により回転可能なハンドルをさらに備え、
前記画像表示部は、代金決済の完了を条件として、第２メッセージの表示後において、前記ハンドル操作に係る第３メッセージと共に、選択された前記提供可能を表す画像を表示するように構成されている、
請求項１１に記載の物品提供装置。
【請求項１３】
前記代金決済部は、複数種類のキャッシュレス決済のうち、何れかを選択できるように構成されている、
請求項１〜１２のいずれか１項に記載の物品提供装置。
【請求項１４】
前記代金決済部は、電子マネー決済部、及び２次元コード決済部の少なくとも何れかを含んでいる、
請求項１〜１３のいずれか１項に記載の物品提供装置。
【請求項１５】
前記代金決済部に代えて、硬貨での支払いを受け付ける代金受付部のみを備える構成、または前記代金決済部と前記代金受付部の双方を備える構成の何れかを取り得る、
請求項１〜１４のいずれか１項に記載の物品提供装置。
【請求項１６】
前記複数台の提供ユニットと、前記１台の案内ユニットとは、専用ケーブルによって接続され、台座上に構築されている、
請求項１〜１５のいずれか１項に記載の物品提供装置。
【請求項１７】
前記提供ユニットと、前記案内ユニットとは、５台の前記提供ユニットと、１台の前記案内ユニットとを組み合わせて構築され、上段に２台の前記提供ユニットと１台の前記案内ユニットが並び、下段に３台の前記提供ユニットが並び、前記案内ユニットは、上段に並んだ２台の前記提供ユニットに挟まれた配置形態を有している、
請求項１〜１６のいずれか１項に記載の物品提供装置。
【手続補正２】
【補正対象書類名】明細書
【補正対象項目名】０００６
【補正方法】変更
【補正の内容】
【０００６】
本発明に係る物品提供装置は、需要者の要求に応じて物品を提供可能な物品提供装置であって、組み合わせて構築された、複数台の提供ユニットと、前記提供ユニットと左右方向寸法および上下方向寸法が同じである１台の案内ユニットと、を具備し、前記提供ユニットは、各々、物品を収容するための物品収容部であって、手前から物品の収容が行えるようになっている物品収容部と、前記物品収容部に収容されている物品を提供するための物品提供部と、を備え、前記案内ユニットは、前記物品収容部に収容されている物品の収容状況を管理するための収容状況管理部と、前記案内ユニットの前面に前記収容状況管理部からの管理信号に基づいて物品収容情報を提示するための情報提示部と、前記案内ユニットの前面であって前記情報提示部の下に代金決済部と、を備え、前記情報提示部は、画像表示部を含み、前記提供ユニットに対応する画像であって前記管理信号が提供可能に係るものである場合に提供可能を表す画像を前記物品収容情報として前記画像表示部に表示するように構成され、前記画像表示部に表示された前記提供可能を表す画像のいずれか１つが選択されたこと、及び代金決済が完了したことを条件として、前記選択された前記提供可能を表す画像に係る前記提供ユニットの前記物品提供部は、物品の提供が不可能な状態から物品の提供が可能な状態に変化するように構成されている。